(57)【特許請求の範囲】
【請求項１】
ディスク型記録媒体の信号記録面に対して垂直方向に光学ピックアップを往復移動させたときに出力されるフォーカスエラー信号に含まれるＳ字カーブの個数と振幅値を検出するＳ字カーブ検出手段と、
前記Ｓ字カーブの個数と振幅値に基づいて、前記ディスク型記録媒体の種類を判別するディスク種類判別手段と、
前記ディスク種類判別手段によって判別された内容を用いて実際に信号の読み取り動作を行った結果に基づいて、前記ディスク型記録媒体の種類の設定を変更するディスク種類設定変更手段とを備え、
前記ディスク種類判別手段は、前記Ｓ字カーブの個数と振幅値に基づいて行われる１回目の判別動作では、検出された前記Ｓ字カーブの数が偶数の場合に限って前記ディスク型記録媒体の種類の判別を行い、２回目の判別動作では、検出された前記Ｓ字カーブの数が偶数および奇数の両方の場合について前記ディスク型記録媒体の種類の判別を行うことを特徴とするディスク再生装置。
【請求項２】
請求項１において、
前記ディスク種類判別手段による判別対象となる前記ディスク型記録媒体は、少なくとも単層ＤＶＤ、２層ＤＶＤ、ＣＤ−ＲＯＭ、ＣＤ−ＲＷであることを特徴とするディスク再生装置。
【請求項３】
請求項１または２において、
前記ディスク種類設定変更手段は、実際の信号読み取りの際にフォーカスサーボがかからなかった場合に、それまでに設定されている前記ディスク型記録媒体の種類毎に予め決められた次の前記ディスク型記録媒体の種類に設定を変更することを特徴とするディスク再生装置。
【請求項４】
請求項１〜３のいずれかにおいて、
前記ディスク種類設定変更手段は、実際の信号読み取りの際に前記ディスク型記録媒体の所定領域に記録されたデータの読み出しが不可能な場合に、それまでに設定されている前記ディスク型記録媒体の種類毎に予め決められた次の前記ディスク型記録媒体の種類に設定を変更することを特徴とするディスク再生装置。
【発明の詳細な説明】
【０００１】
【発明の属する技術分野】
本発明は、ＤＶＤ（デジタルバーサイタルディスク）とＣＤ（コンパクトディスク）の両方の再生が可能なデジタルディスクプレーヤに関する。
【０００２】
【従来の技術】
最近では、ＭＰＥＧ２の情報圧縮技術が実用化レベルに達しており、この技術を用いてコンパクトディスク大のディスクに記録された映像や音楽の再生を行うＤＶＤプレーヤが市場に出回っている。このＤＶＤプレーヤに装てんされるディスクには、一方の面に１つあるいは２つの信号記録面が形成されており、各信号記録面にはピットと称される穴が形成されている。このピットには数種類の長さのものがあり、これら数種類の長さのピットが組み合わされて長手方向に配置されてトラックが形成されている。ディスクに記録された信号を再生する場合には、このトラックに沿って形成された各ピットを一定の線速度で読み取り、この読み取った信号に基づいて各種の信号処理を行うことにより映像信号や音楽信号の復元を行っている。
【０００３】
また、ディスクに形成されたピット列に沿って信号の読み取りを行う点では、従来からあるコンパクトディスクも同様であるが、記録容量の相違からピットの大きさが異なっている。例えばＤＶＤは、一方の面に２層の信号記録面を有するデュアルレイヤタイプのものでは８．５ギガバイトの容量を有し、１層の信号記録面を有するシングルレイヤタイプのものでは４．７ギガバイトの容量を有している。これに対し、ＣＤの容量は７８０キロバイト程度であり、ピットの大きさを比較すると、ＤＶＤのピットはＣＤのピットに比べて縦横の長さがほぼ半分になっている。
【０００４】
このように、ＤＶＤとＣＤでは信号記録面に形成されたピットの大きさが異なるため、ＤＶＤプレーヤでＤＶＤのみならずＣＤを再生しようとすると、フォーカスレンズの位置やＲＦアンプのゲインを切り換える等の操作が必要となり、その前提としてＤＶＤプレーヤに実際に装填されたディスクがＤＶＤであるかＣＤであるかを判別する必要がある。
【０００５】
ＤＶＤプレーヤに装填されたディスクを判別する方法としては、例えば初期状態においてＤＶＤに対応した設定を行っておいて、実際に装填されたディスクに対してフォーカサーボをかけてみる方法がある。正常にフォーカス位置が検出できた場合（例えばフォーカスエラー信号のレベルが所定の閾値を越えるか否かで判定する）には装填されたディスクはＤＶＤであり、そのままの設定で再生動作が開始される。また、正常にフォーカス位置が検出できない場合には、装填されたディスクはＤＶＤではないということになるため、次にＣＤに対応した設定を行う。このとき、正常にフォーカス位置を検出することができれば装填されたディスクはＣＤであり、そのままの設定で再生動作が開始される。また、この設定においてもフォーカス位置が検出できない場合には、ＤＶＤやＣＤ以外のディスクが装填された場合や、ＤＶＤやＣＤではあるが傷や偏芯あるいは反り等のために記録信号の読み取りが困難になった場合であり、いずれの場合にも正常な再生動作を継続することはできないため、所定のエラー処理に移行する。
【０００６】
【発明が解決しようとする課題】
ところで、上述した従来のディスクの判別方法では、装填対象となるディスクの設定を実際に行う必要があるため、判別対象となるディスクの種類が多くなると、ディスクの種類によっては判別に時間がかかるという問題がある。例えば、装填される頻度が高い順に予め設定順が決まっているものとすると、使用頻度が低いディスクを装填した場合にこのディスクの判別に要する時間が他のディスクに比べて長くなる。また、フォーカスサーチの結果によってディスクの種類を判定しているため、ディスクの種類が多くなるとディスクの種類を誤って判別する可能性が高くなり、ディスクの種類の設定精度が悪いという問題がある。
【０００７】
本発明は、このような点に鑑みて創作されたものであり、その目的は、ディスクの種類の設定に要する時間を短縮することができ、しかも設定精度を高めることができるディスク再生装置を提供することにある。
【０００８】
【課題を解決するための手段】
上述した課題を解決するために、本発明のディスク再生装置は、フォーカスエラー信号に含まれるＳ字カーブの個数と振幅値に基づいてディスク型記録媒体の種類を判別して設定した後に、実際に信号の読み取りを行った結果に基づいて、この設定内容を変更している。特に、フォーカスエラー信号のＳ字カーブの個数とその振幅値を組み合わせてディスクの種類を判別しているため、複数の種類の中から一つを判別する場合であっても種類の多少によって判別時間が変動することがなく、判別に要する時間を短縮することができる。例えば、単層ＤＶＤ、２層ＤＶＤ、ＣＤ−ＲＯＭ、ＣＤ−ＲＷのように多種類の中から一つを判別するような場合に適しており、このように判別対象となるディスクの種類が多い場合であっても短時間でディスクの種類を判別することができる。
【０００９】
また、実際に信号の読み取りを行った結果に基づいて、ディスクの種類の設定内容を変更する場合には、フォーカスサーボがかかったかどうか、ディスクの特定領域のデータの読み出しが可能かどうかを考慮することが望ましい。これらの判定において良好な結果が得られる場合とは、正常な設定がなされているということであり、このような設定内容の変更を行うことにより、ディスクの種類の設定精度を高めることができる。
【００１０】
【発明の実施の形態】
以下、本発明を適用した一実施形態のＤＶＤプレーヤについて、図面を参照しながら説明する。
【００１１】
図１は、本発明を適用した一の実施形態のＤＶＤプレーヤの構成を示す図である。同図に示すＤＶＤプレーヤ１は、装てんされたディスク型記録媒体としてのディスク１０の種類を判別し、この判別結果に基づいてモード切替えを行った後に、ディスク１０に記録された信号を読み取って所定の処理を行って映像や音楽の再生を行っている。判別対象となるディスク１０の種類としては、例えば▲１▼一方の面に１つの信号記録面のみを有するシングルレイヤ（単層）のＤＶＤ、▲２▼一方の面に２つの信号記録面を有するデュアルレイヤ（２層）のＤＶＤ、▲３▼記録信号の読み込のみを行うＣＤ−ＲＯＭ、▲４▼記録信号の再生と書き込みを行うことが可能なＣＤ−ＲＷ（リライタブル）の４種類を考えるものとする。なお、音楽用ＣＤ（ＣＤ−ＤＡ）は、ＣＤ−ＲＯＭに含まれるものとする。
【００１２】
図１に示すＤＶＤプレーヤ１は、スピンドルモータ１２、光学ピックアップ１４、スレッドモータ１６、フォーカスサーボプロセッサ２０、フォーカスアクチュエータドライバ２２、アナログ−デジタル（Ａ／Ｄ）変換器２４、トップ保持部２６、ボトム保持部２８、システムコントローラ３２、ディスク装てん検出部３４、ＲＦアンプ４０、ＤＶＤデータプロセッサ４２、ＭＰＥＧビデオデコーダ４４、ＭＰＥＧオーディオデコーダ４６、デジタル−アナログ変換器（Ｄ／Ａ変換器）４８、５２、５８、ＮＴＳＣエンコーダ５０、ＣＤデータプロセッサ５４およびデジタルフィルタ５６を含んでいる。
【００１３】
スピンドルモータ１２は、ディスク１０を一定の線速度で回転させる。光学ピックアップ１４は、ディスク１０から記録信号の読み取りを行うものであり、半導体レーザからの照射光を集光するとともにディスク１０の信号記録面からの反射光をホトダイオードに導く対物レンズ１４ａと、この対物レンズ１４ａをディスク１０の記録面に垂直方向に移動させることにより焦点位置を調整するフォーカスアクチュエータ１４ｃを含んでいる。
【００１４】
フォーカスサーボプロセッサ２０は、ＲＦアンプ４０から入力されるフォーカスエラー信号に対して高域成分の位相補償や低域成分の増幅を行うことにより、トラッキングサーボに必要な信号を作り、さらにこの信号を増幅してフォーカスアクチュエータドライバ２２の駆動に必要な電圧を発生する。上述したフォーカスエラー信号は、光学ピックアップ１４内の対物レンズ１４ａと合焦点位置（対物レンズの焦点位置がディスク１０の信号記録面に一致するときのこの対物レンズの位置）との間の距離に応じた電圧値を有する信号であり、ＲＦアンプ４０内に備わったフォーカスエラー信号検出部によって生成される。
【００１５】
フォーカスアクチュエータドライバ２２は、フォーカスサーボプロセッサ２０から印加される駆動電圧に応じて光学ピックアップ１４内のフォーカスアクチュエータ１４ｃのフォーカス用コイルに通電を行うためのものであり、この通電動作によって上述した対物レンズ１４ａの位置をディスク１０の信号記録面に対して垂直方向に移動させる。
【００１６】
Ａ／Ｄ変換部２４は、ＲＦアンプ４０から出力されるアナログのフォーカスエラー信号をデジタルデータに変換する。また、トップ保持部２６は、デジタルデータに変換された後のフォーカスエラー信号の最大値を保持する。同様に、ボトム保持部２８は、デジタルデータに変換された後のフォーカスエラー信号の最小値を保持する。一般に、光学ピックアップ１４の対物レンズ１４ａをディスク１０の信号記録面に垂直な一方向に移動させると、フォーカスエラー信号には、対物レンズ１４ａの焦点と信号記録面とが一致する位置に対応してＳ字カーブが現れる。上述したトップ保持部２６はこのＳ字カーブの最大値を保持し、ボトム保持部２８はこのＳ字カーブの最小値を保持する。
【００１７】
ＲＦアンプ４０は、光学ピックアップ１４から出力される信号を増幅するものであり、その増幅度はディスク１０の種類によって適宜変更可能となっている。また、このＲＦアンプ４０は、上述したようにフォーカスエラー信号検出部を内蔵しており、フォーカスエラー信号を出力する機能を有している。
【００１８】
システムコントローラ３２は、ディスク１０に記録された映像や音楽の再生を行うためにＤＶＤプレーヤ１の全体を制御するものであり、特にディスク装てん検出部３４によってディスク１０の装てんが検出されると、ディスク１０の種類を判別する処理を行い、判別結果に基づいてモードの切替えを行う。
【００１９】
ＤＶＤデータプロセッサ４２は、ＲＦアンプ４０から出力された信号に基づいて、ＭＰＥＧデータを復調するとともに、誤り訂正処理、ＭＰＥＧビデオデータとＭＰＥＧオーディオデータの分離処理、アドレス情報の抽出処理等の各種のデジタル信号処理を行うものである。ＭＰＥＧビデオデコーダ４４は、ＤＶＤデータプロセッサ４２で分離されたＭＰＥＧビデオデータに基づいてＭＰＥＧ２の画像データを復号化する。復号化された映像データは、デジタル−アナログ変換器４８に入力され、輝度信号Ｙおよび色差信号Ｃｂ、Ｃｒが作られる。さらに、ＮＴＳＣエンコーダ５０によってこれらの輝度信号および色差信号からＮＴＳＣ信号（映像信号）が作られる。ＭＰＥＧオーディオデコーダ４６は、ＤＶＤプロセッサ４２で分離されたＭＰＥＧオーディオデータに基づいてＭＰＥＧ２のオーディオデータを復号化する。この復号化されたオーディオデータは、Ｄ／Ａ変換器５２を通すことにより、アナログのオーディオ信号に変換される。
【００２０】
また、ＣＤデータプロセッサ５４は、ＲＦアンプ４０から出力された信号に基づいて、ＥＦＭ（Eight to Fourteen Modulation ）復調を行った後、ＣＩＲＣ（Cross Interleaved Reed-Solomon Code ）デコード処理を行って、オーディオデータを出力する。このオーディオデータに対してデジタルフィルタ５６によるオーバーサンプリングを行い、その結果をＤ／Ａ変換器５８に通すことにより、アナログのオーディオ信号が得られる。
【００２１】
上述したＡ／Ｄ変換器２４、トップ保持部２６、ボトム保持部２８、システムコントローラ３２がＳ字カーブ検出手段に、システムコントローラ３２がディスク種類判別手段、ディスク種類設定変更手段にそれぞれ対応する。
【００２２】
本実施形態のＤＶＤプレーヤ１はこのような構成を有しており、次にその動作を説明する。図２は、ＤＶＤプレーヤ１の動作手順を示す流れ図であり、主にディスク１０が装てんされてからこのディスク１０の種類に応じたモード設定を行うまでの動作が示されている。
【００２３】
システムコントローラ３２は、ディスク１０が装てんされたか否かを常時監視している。ディスク１０が装てんされてディスク装てん検出部３４から所定の検出信号が出力されると、次にシステムコントローラ３２は、スピンドルモータ１２を回してディスク１０をほぼ一定速度で回転させるとともに、スレッドモータ１６にスレッドモータ駆動信号を送って光学ピックアップ１４をディスク１０の内周近傍の所定の位置に移動させる。実際には、システムコントローラ３２から図示しないスピンドルサーボプロセッサに回転指示が送られて、スピンドルモータ１２が回転サーボ制御がかかっていない状態でほぼ一定速度（必ずしも信号読み取りの際の一定の線速度と同じである必要はない）で回転される。また、システムコントローラ３２から図示しないスレッドサーボプロセッサに移動指示が送られて、スレッドモータ１６が回転駆動される。
【００２４】
次に、システムコントローラ３２は、フォーカスサーボプロセッサ２０に対して指示を送ることにより、フォーカスアクチュエータドライバ２２によって光学ピックアップ１４内のフォーカスアクチュエータ１４ｃを駆動して対物レンズ１４ａを降下させ、対物レンズを所定の位置に設定する。なお、本実施形態では、対物レンズ１４ａを降下させることは、ディスク１０の信号記録面から対物レンズ１４ａを遠ざけることに対応している。
【００２５】
上述した対物レンズ１４ａの降下動作後、あるいはこの降下動作と並行して、システムコントローラ３２は光学ピックアップ１４内の半導体レーザに通電を行ってレーザビームの照射を開始する。そして、レーザビームが安定するまで一定時間待った後、システムコントローラ３２は、フォーカスサーボプロセッサ２０に対して指示を送ることにより、対物レンズ１４ａを上昇させた後降下させ、この上昇動作および降下動作が行われている間にＦＲアンプ４０から出力されるフォーカスエラー信号に含まれるＳ字カーブの検出を行う（ステップ１００）。
【００２６】
次に、システムコントローラ３２は、検出したＳ字カーブの個数と振幅値とに基づいて、ディスク１０の種類を判別することができたか否かを判定する（ステップ１０１）。
【００２７】
図３は、フォーカスエラー信号（ＦＥ）に含まれるＳ字カーブの詳細を示す図であり、Ａ／Ｄ変換器２４によってデジタルデータに変換された後の波形が示されている。システムコントローラ３２は、所定のスタンバイレベルを越えたときにＳ字カーブの検出を行う。また、このときの検出動作と並行してＳ字カーブのピーク値とボトム値がそれぞれピーク保持部２６、ボトム保持部２８に取り込まれて保持されるため、システムコントローラ３２は、ピーク保持部２６とボトム保持部２８のそれぞれに保持された値を加算することにより、Ｓ字カーブの振幅値を計算することができる。
【００２８】
図４は、ディスク１０の種類とＳ字カーブの出現個数および振幅値の関係を示す図である。同図において、ＤＶＤ−ＳはシングルレイヤのＤＶＤを、ＤＶＤ−ＤはデュアルレイヤのＤＶＤを示している。シングルレイヤのＤＶＤは、信号記録面が１層であるため、対物レンズ１４ａの上昇と降下を行うと、合計で２個のＳ字カーブが検出されるはずである。また、このＳ字カーブのピーク値とボトム値を合計した振幅値（複数個のＳ字カーブが検出された場合には平均値）は、比較的大きな値であり、例えば７ＦＨ（Ｈは１６進数であることを示す）以上となる。また、デュアルレイヤのＤＶＤは、４個のＳ字カーブが検出され、その振幅値は４０Ｈ〜７ＥＨに含まれる。ＣＤ−ＲＯＭは、２個のＳ字カーブが検出され、その振幅値はデュアルレイヤのＤＶＤと同じであって、４０Ｈ〜７ＥＨに含まれる。ＣＤ−ＲＷは、図３に示したスタンバイレベル以上のＳ字カーブは検出されず、その検出個数は０個であって、その振幅値は４０Ｈ未満となる。
【００２９】
このように、ディスク１０の種類によって、検出されるＳ字カーブの数、あるいはその振幅値が含まれる範囲のいずれかが異なっているため、反対にＳ字カーブの出現個数とその振幅値を求めることにより、装填されたディスク１０の種類を判別することができる。
【００３０】
図５は、フォーカスエラー信号に含まれるＳ字カーブの出現個数とその振幅値に基づいてディスク１０の種類の判別を行うディスク種類判別表の一例を示す図である。なお、図４に示したＳ字カーブの出現個数と振幅値の組み合わせを厳密に考えると、この組み合わせから外れる場合にはエラーと判断されるが、誤検出等の場合を考慮して、本来であればエラーとなる場合であっても正常判断されるようになっている。
【００３１】
システムコントローラ３２は、ステップ１０１において、図５に示したディスク種類判別表に基づくディスクの種類判別が可能であるか否かを判定する。例えば、起動直後に１回目の判定を行う場合には、図５に示したハッチング（斜線）が付されていない部分を用いて判定処理が行われる。この部分に当てはまらない場合、例えばＳ字カーブの出現個数が奇数になる場合等においては、ステップ１０１で否定判断され、次にシステムコントローラ３２は、ディスク種類判別表を用いた判定処理が２回目であるか否かを判定する（ステップ１０２）。ディスク種類が判別できず、しかもこの判定処理が１回目であれば、ステップ１００に戻って再度Ｓ字カーブの検出動作が繰り返される。
【００３２】
また、ステップ１０１における判定処理が２回目の場合には、図５に示した全範囲を用いてこの判定処理が行われる。この場合には、Ｓ字カーブの出現回数とその振幅値との組み合わせによって、何らかのディスクの種類が判別されるように、図５に示したディスク種類判別表が作成されており、次にシステムコントローラ３２は、ＲＦアンプ４０と光学ピックアップ１４のそれぞれに対して、判別されたディスク１０の種類に応じた係数値を転送して（ステップ１０３）、動作モードの設定を行う。例えば、ＲＦアンプ４０は、この係数値に基づいてゲインを設定する。また、光ピックアップ１４は、この係数値に基づいてレーザ透過光の径を変えて、等価的に開口数を最適値に設定する。
【００３３】
次に、システムコントローラ３２は、各種のサーボ機構を有効に動作させて、ディスク１０から記録信号を読み取るための起動処理を行う（ステップ１０４）。その後、システムコントローラ３２は、正常にフォーカスサーボがかかったか否かを判定する（ステップ１０５）。正常にフォーカスサーボがかからなかった場合には、この判定処理が２回目であるか否かが判定され（ステップ１０６）、１回目の場合にはディスクの種類の設定を変更した後（ステップ１０７）、ステップ１０３に戻って係数値転送処理以降が繰り返される。
【００３４】
図６は、フォーカスサーボがかからなかった場合に変更されるディスクの種類を示す図である。同図に示すように、例えば、変更前の設定がシングルレイヤのＤＶＤであった場合には設定がＣＤ−ＲＯＭに変更される。また、変更前の設定がデュアルレイヤのＤＶＤであった場合には同じ設定を維持して再度起動処理が行われる。２回目の起動処理においてもフォーカスサーボがかからなかった場合には、ステップ１０６において肯定判断がなされ、所定のエラー処理が行われる（ステップ１１０）。
【００３５】
また、フォーカスサーボがかかった場合には、次にシステムコントローラ３２は、ディスク１０のリードイン領域にあるセクタ毎のＩＤ番号が読みとれるか否かを判定する（ステップ１０８）。このＩＤ番号が読み取れなかった場合には、この判定処理が２回目であるか否かが判定され（ステップ１０９）、１回目の場合にはディスクの種類の設定を変更した後（ステップ１０７）、ステップ１０３に戻って係数値転送処理以降が繰り返される。
【００３６】
図７は、ＩＤ番号が読み取れなかった場合に変更されるディスクの種類を示す図である。同図に示すように、例えば、変更前の設定がシングルレイヤのＤＶＤであった場合には設定がＣＤ−ＲＯＭに変更される。また、変更前の設定がＣＤ−ＲＯＭであった場合には設定がシングルレイヤのＤＶＤに変更される。２回目の起動処理においてもＩＤ番号が読み取れなかった場合には、ステップ１０９において肯定判断がなされ、所定のエラー処理が行われる（ステップ１１０）。
【００３７】
また、ステップ１０４において起動処理を行った結果、フォーカスサーボがかかって、リードイン領域の各セクタのＩＤ番号が読み取れる場合には、ディスク１０を回転させた状態で一時停止となる回転ポーズ処理が実行される（ステップ１１１）。以後、利用者からの動作指示に応じて、あるいは自動再生を行う場合には所定の動作手順にしたがってＤＶＤプレーヤ１が動作する。
【００３８】
このように、本実施形態のＤＶＤプレーヤ１は、フォーカスレンズ１４ａを上下させたときにフォーカスエラー信号に現れるＳ字カーブの数と振幅値とを組み合わせることによって、ディスク１０の種類を判別しており、判別対象となるディスクの種類が多い場合であっても短時間で判別処理を行うことができる。
【００３９】
また、実際のディスク１０は、その表面の汚れや傷等によって、Ｓ字カーブの数や振幅値が正常値からずれる場合も多いが、本実施形態のＤＶＤプレーヤ１では、図５に示すディスク種類判別表を用いて、正常値から外れる場合であってもディスクの種類の仮の設定を行っており、実状に即した判別処理を行うことができる。また、起動処理後にフォーカスサーボがかかったか否か、リードインに記録されているＩＤ番号が読み取れるか否かによって、予め考えられる誤設定を考慮して設定内容の変更を行うことができるため、最終的には確実にディスクの種類を設定することができ、この設定精度を高めることができる。
【００４０】
なお、本発明は上記実施形態に限定されるものではなく、本発明の要旨の範囲で種々の実施形態が可能である。例えば、上述した実施形態では、図５に示したディスク種別判別表に基づいてディスクの種類を判別するようにしたが、この判別表の内容は、実際に使用される光学ピックアップ１４の種類等に応じて適宜変更すればよい。
【００４１】
【発明の効果】
上述したように、本発明によれば、フォーカスエラー信号に含まれるＳ字カーブの個数と振幅値に基づいてディスク型記録媒体の種類を判別して設定した後に、実際に信号の読み取りを行った結果に基づいてこの設定内容を変更している。特に、フォーカスエラー信号のＳ字カーブの個数とその振幅値を組み合わせてディスクの種類を判別しているため、複数の種類の中から一つを判別する場合であっても種類の多少によって判別時間が変動することがなく、判別に要する時間を短縮することができる。また、実際に信号の読み取りを行った結果に基づいて、ディスクの種類の設定内容を変更しており、信号が確実に読み取り可能な状態を確保することができるため、ディスクの種類の設定精度を高めることができる。
【図面の簡単な説明】
【図１】一の実施形態のＤＶＤプレーヤの構成を示す図である。
【図２】ＤＶＤプレーヤの動作手順を示す流れ図である。
【図３】フォーカスエラー信号に含まれるＳ字カーブの詳細を示す図である。
【図４】ディスクの種類とＳ字カーブの出現個数および振幅値の関係を示す図である。
【図５】フォーカスエラー信号に含まれるＳ字カーブの出現個数とその振幅値に基づいてディスクの種類の判別を行うディスク種類判別表の一例を示す図である。
【図６】フォーカスサーボがかからなかった場合に変更されるディスクの種類を示す図である。
【図７】ＩＤ番号が読み取れなかった場合に変更されるディスクの種類を示す図である。
【符号の説明】
１  ＤＶＤプレーヤ
１０  ディスク
１４  光学ピックアップ
２０  フォーカスサーボプロセッサ
２４  Ａ／Ｄ変換器
２６  トップ保持部
２８  ボトム保持部
３２  システムコントローラ
４０  ＲＦアンプ
【図１】
0003883088.tif 000002
【図２】
0003883088.tif 000003
【図３】
0003883088.tif 000004
【図４】
0003883088.tif 000005
【図５】
0003883088.tif 000006
【図６】
0003883088.tif 000007
【図７】
0003883088.tif 000008